(57)【要約】      （修正有）【課題】所定時刻毎の使用頻度が少ない場合に、移行時間を長く設定し、所定時刻毎の使用頻度が多い場合に、移行時間を短く設定し、迅速な操作を行う事ができるようにする。【解決手段】複数のワークステーション及び、パソコン等に対応した端末機器と、スキャナ機能を有するＯＡ機器、携帯電話、ワークステーション及び、パソコン等とを少なくとも、複数具備し、その端末機器には、画像形成装置の設定作動モードを入力する入力手段と、その設定作動モードを表示する表示部と、最後の入力動作が終了後、所定の時間が経過すると画像形成装置の設定作動モードを所定の設定モードに移行させる機能を有した制御手段と有し、これらの機器を互いに接続したネットワークシステムにおいて、ネットワークシステム上のいずれかの機器の時間帯毎の使用頻度によって、端末機器のそれぞれ決定する移行時間決定手段とを有することを特徴とするネットワークシステム。【選択図】図１
2005151587.tif 000002
【特許請求の範囲】
【請求項１】
端末機器と、その他の機器とを少なくとも複数具備し、そのいずれかの機器には、端末機器の設定作動モードを入力する入力手段と、その設定作動モードを表示する表示部と、最後の入力動作が終了後、所定の時間が経過すると端末機器の設定作動モードを所定の設定モードに移行させる機能を有した制御手段と有し、これらの機器を互いに接続したネットワークシステムにおいて、
ネットワークシステム上のいずれかの機器の時間帯毎の使用頻度によって、端末機器の設定作動モードを所定の設定モードに移行させる移行時間を決定する移行時間決定手段とを有することを特徴とするネットワークシステム。
【請求項２】
上記移行時間決定手段は、上記時間帯毎の使用頻度が所定頻度を超えると当該時間帯をさらに細分化し、この細分化された時間帯の上記移行時間を決定することを特徴とする請求項１に記載のネットワークシステム。
【請求項３】
上記移行時間決定手段は、上記時間帯毎の使用頻度が所定頻度を下回ると当該時間帯をさらに延ばし、若しくは、他の時間帯と合体し、この延ばされた若しくは合体した時間帯の移行時間を決定することを特徴とする請求項１または請求項２に記載のネットワークシステム。
【請求項４】
上記移行時間決定手段は、端末機器の設定作動モードをオートクリアモード、オートシャットオフモード、オートプレヒートモードまたはスクリーンセーブモードに移行させる移行時間を決定することを特徴とする請求項１乃至請求項３のいずれかに記載のネットワークシステム。
【請求項５】
上記移行時間決定手段は、少なくとも２つ以上の移行時間を下記の関係式
Ｂ＞Ｃ＞Ａ＞Ｄ
Ａ：オートクリア時間
Ｂ：オートシャットオフ時間
Ｃ：オートプレヒート時間
Ｄ：スクリーンセーブ時間
を満足する関係で決定することを特徴とする請求項４に記載のネットワークシステム。
【請求項６】
上記移行時間決定手段は、少なくとも２つ以上の移行時間を下記の関係式
Ｂ＞Ｃ＞Ｄ＞Ａ
Ａ：オートクリア時間
Ｂ：オートシャットオフ時間
Ｃ：オートプレヒート時間
Ｄ：スクリーンセーブ時間
を満足する関係で決定することを特徴とする請求項３に記載のネットワークシステム。
【請求項７】
上記時間帯毎の使用頻度は、当該時間帯毎に設定作動モードを入力する回数である請求項１乃至請求項６のいずれかに記載のネットワークシステム。
【請求項８】
上記時間帯毎の使用頻度は、当該時間帯毎に設定作動モードを入力する総時間である請求項１乃至請求項６のいずれかに記載のネットワークシステム。
【請求項９】
上記時間帯毎の使用頻度によって、当該時間帯毎に決定された移行時間に対して、移行時間の上限値、若しくは、下限値を入力することが、可能なことを特徴とする請求項１乃至請求項８に記載のいずれかネットワークシステム。
【請求項１０】
上記移行時間決定手段は、ネットワークシステム上の上記その他の機器の使用頻度によって、上記移行時間を決定することを特徴とする請求項１乃至請求項９のいずれかに記載のネットワークシステム。
【請求項１１】
上記移行時間決定手段は、ネットワークシステム上の予め選択した少なくとも１つ以上の機器の使用頻度によって、上記移行時間を決定することを特徴とする請求項１乃至請求項１０のいずれかに記載のネットワークシステム。
【請求項１２】
上記移行時間決定手段は、ネットワークシステム上の機器の使用頻度（Ｈ１〜Ｈｎ）と、それぞれの機器によって定められた所定係数（Ｋ１〜Ｋｎ）とで下記の関係式、
使用頻度Ｍｎ＝Ｈ１×Ｋ１＋Ｈ２×Ｋ２＋Ｈ３×Ｋ３＋………＋Ｈｎ×Ｋｎ
を満足する関係で設定されるネットワークシステムの使用頻度Ｍｎによって、上記移行時間を決定することを特徴とする請求項１乃至請求項１１のいずれかに記載のネットワークシステム。
【請求項１３】
上記移行時間決定手段によって決定された移行時間をネットワークにつながれた対応可能なすべての端末機器に対応させることを特徴とする請求項１乃至請求項１２のいずれかに記載のネットワークシステム。
【請求項１４】
上記移行時間決定手段によって決定された移行時間をネットワークにつながれた所定の端末機器に対応させることを特徴とする請求項１乃至請求項１２のいずれかに記載のネットワークシステム。
【請求項１５】
コンピュータを、ネットワーク上の端末機器の設定作動モードを入力する入力手段と、その設定作動モードを表示する表示手段と、最後の入力動作が終了後、所定の時間が経過すると端末機器の設定作動モードを所定の設定モードに移行させる機能を有した制御手段と、ネットワークシステム上のいずれかの機器の時間帯毎の使用頻度によって、端末機器の設定作動モードを所定の設定モードに移行させる移行時間を決定する移行時間決定手段として機能させることを特徴とするネットワークシステムの制御プログラム。
【請求項１６】
移行時間決定手段によって決定された移行時間をネットワークにつながれた対応可能なすべての端末機器に対応させることを特徴とする請求項１５に記載のネットワークシステムの制御プログラム。
【請求項１７】
移行時間決定手段によって決定された移行時間をネットワークにつながれた所定の端末機器に対応させることを特徴とする請求項１５に記載のネットワークシステムの制御プログラム。
【発明の詳細な説明】
【技術分野】
【０００１】
本発明は、複写機、レーザプリンタ、ファクシミリ、ＰＣ、家電製品、等を含んだネットワークシステムとその制御プログラムに係り、特にオートクリア機能、オートシャットオフ機能、オートプレヒート機能、スクリーンセーブ機能等を持つ複写機、レーザプリンタ、ファクシミリ、ＰＣなどを電気回線等で接続されたネットワークシステムおよびネットワークシステムの制御プログラムに関するものである。
【背景技術】
【０００２】
従来、ネットワークシステム上の画像形成装置及び、ＰＣ、家電製品、等を使用する場合は、ユーザーが必要に応じてオートクリア機能、オートシャットオフ機能、オートプレヒート機能、スクリーンセーブ機能等が設定されるが、このユーザーがジョブを終了し、所定の時間（オートクリアタイム、オートシャットオフタイム、オートプレヒートタイム）が経過すると自動的にその動作設定は、例えば、最も普通に使われる動作設定を登録した初期設定動作モードに復帰する。こうすることにより次のユーザーが使用する場合は初期動作設定により行うことができる。なお前記オートクリアタイムはユーザーが好みに応じて時間を選択したり、または復帰しないモードにすることもできる。
【特許文献１】特開平９−２６９７１４号公報
【特許文献２】特開２０００−１４１８２０号公報
【発明の開示】
【発明が解決しようとする課題】
【０００３】
ところが、従来技術では、時間帯毎の使用頻度が少ない場合も、時間帯毎の使用頻度が多い場合も、時間に関係なく、一定時間で、所定の設定モードに移行させていた。つまり、移行時間が、一定であるため、時間帯毎の使用頻度が少ない場合は、相対的に使用頻度に対して移行時間が遅く、無駄が多くなっていた。反対に、時間帯毎の使用頻度が多い場合は、相対的に使用頻度に対して移行時間が早く、作業者のジョブにロスが生じていた。さらに、ネットワーク上の機器、例えば、ＰＣの使用頻度が高いのに、プリンタの出力の頻度が低い為、所定時間出力ができないことがある。つまり、ＰＣの使用頻度が高いということは、プリンタの出力する蓋然性が高い。
【課題を解決するための手段】
【０００４】
上記の課題を解決するために、本発明は、請求項1に記載の発明によれば、端末機器と、その他の機器とを少なくとも複数具備し、そのいずれかの機器には、端末機器の設定作動モードを入力する入力手段と、その設定作動モードを表示する表示部と、最後の入力動作が終了後、所定の時間が経過すると端末機器の設定作動モードを所定の設定モードに移行させる機能を有した制御手段と有し、これらの機器を互いに接続したネットワークシステムにおいて、ネットワークシステム上のいずれかの機器の時間帯毎の使用頻度によって、端末機器の設定作動モードを所定の設定モードに移行させる移行時間を決定する移行時間決定手段とを有することを特徴とするネットワークシステムを提供するものである。
【０００５】
また、請求項１５に記載の発明によれば、コンピュータを、ネットワーク上の端末機器の設定作動モードを入力する入力手段と、その設定作動モードを表示する表示手段と、最後の入力動作が終了後、所定の時間が経過すると端末機器の設定作動モードを所定の設定モードに移行させる機能を有した制御手段と、ネットワークシステム上のいずれかの機器の時間帯毎の使用頻度によって、端末機器の設定作動モードを所定の設定モードに移行させる移行時間を決定する移行時間決定手段として機能させることを特徴とするネットワークシステムの制御プログラムを提供するものである。
【０００６】
これら請求項１および請求項１５に記載の発明により、ユーザーの使用したい時（使用頻度の多い時）に、移行時間を短く設定し、ユーザーのあまり使用しない時（使用頻度の少ない時）に、移行時間を長く設定しているので、使用頻度の多い時は、迅速な操作を行う事ができ、使用頻度の少ない時は、省エネルギーを図ることができる。さらに、例えば、端末機器の使用頻度が少なかったが、ＰＣの使用頻度が高い時、端末機器は、使用頻度が少ないので、移行時間は早くなるが、実際は、その時、端末機器の使用する可能性が、極めて高い。そういった問題も、使用頻度が高いと判定されて移行時間が早くなる。つまり、現実の使用状況に則した移行時間の設定が可能となる。
【０００７】
更に、ユーザーの使用したい時（使用頻度の多い時）に、移行時間を長く設定し、ユーザーのあまり使用しない時（使用頻度の少ない時）に、移行時間を短く設定しているので、使用頻度の多い時は、例えばオートクリアする迄の時間が十分あるので、迅速な操作を行う事ができ、使用頻度の少ない時は、早めにオートクリアを行うので、省エネルギーを図ることができる。
【０００８】
次に、請求項２に記載の発明によれば、上記移行時間決定手段は、上記時間帯毎の使用頻度が所定頻度を超えると当該時間帯をさらに細分化し、この細分化された時間帯の上記移行時間を決定することを特徴とする請求項１に記載のネットワークシステムを提供するものである。
【０００９】
この請求項２記載の発明により、その機器の使用頻度が増えてきた際にさらに、所定頻度を超えると時間帯をさらに細分化するので、細やかな移行時間決定が可能となる。
【００１０】
次に、請求項３に記載の発明によれば、上記移行時間決定手段は、上記時間帯毎の使用頻度が所定頻度を下回ると当該時間帯をさらに延ばし、若しくは、他の時間帯と合体し、この延ばされた若しくは合体した時間帯の移行時間を決定することを特徴とする請求項１または請求項２に記載のネットワークシステムを提供するものである。
【００１１】
この請求項３記載の発明により、その機器の使用頻度が減ってきた際にさらに、所定頻度を下回ると時間帯を長くするので、リニヤな移行時間決定が可能となる。
【００１２】
次に、請求項４に記載の発明によれば、上記移行時間決定手段は、端末機器の設定作動モードをオートクリアモード、オートシャットオフモード、オートプレヒートモードまたはスクリーンセーブモードに移行させる移行時間を決定することを特徴とする請求項１乃至請求項３のいずれかに記載のネットワークシステムを提供するものである。
【００１３】
この請求項４記載の発明により、ユーザーの使用したい時（使用頻度の多い
時）に、オートクリア移行時間、オートシャットオフ移行時間、オートプレヒート移行時間またはスクリーンモード移行時間を長く設定し、ユーザーのあまり使用しない時（使用頻度の少ない時）に、これらの移行時間を短く設定しているので、使用頻度の多い時は、オートクリア、オートシャットオフ、オートプレヒートまたはスクリーンセーブする迄の時間が十分あるので、迅速な操作を行う事ができ、使用頻度の少ない時は、早めにオートクリア、オートシャットオフ、オートプレヒートまたはスクリーンセーブを行うので、省エネルギーを図ることができる。
【００１４】
次に、請求項５に記載の発明によれば、上記移行時間決定手段は、少なくとも２つ以上の移行時間を下記の関係式
Ｂ＞Ｃ＞Ａ＞Ｄ
Ａ：オートクリア時間
Ｂ：オートシャットオフ時間
Ｃ：オートプレヒート時間
Ｄ：スクリーンセーブ時間
を満足する関係で決定することを特徴とする請求項４に記載のネットワークシステムを提供するものである。
【００１５】
この請求項５記載の発明により、上記の関係式で、それぞれの移行時間をコントロールするので、ユーザーにとって、円滑な動作制御が可能となる。
【００１６】
次に、請求項６に記載の発明によれば、上記移行時間決定手段は、少なくとも２つ以上の移行時間を下記の関係式
Ｂ＞Ｃ＞Ｄ＞Ａ
Ａ：オートクリア時間
Ｂ：オートシャットオフ時間
Ｃ：オートプレヒート時間
Ｄ：スクリーンセーブ時間
を満足する関係で決定することを特徴とする請求項４に記載のネットワークシステムを提供するものである。
【００１７】
この請求４記載の発明により、上記の関係式で、それぞれの移行時間をコントロールするので、ユーザーにとって、円滑な動作制御が可能となる。
【００１８】
次に、請求項７に記載の発明によれば、上記時間帯毎の使用頻度は、当該時間帯毎に設定作動モードを入力する回数である請求項１乃至請求項６のいずれかに記載のネットワークシステムを提供するものである。
【００１９】
この請求項７記載の発明により、時間帯毎の使用頻度は、設定作動モードを入力する回数であるので、使用頻度をリニアにカウントすることができる。
【００２０】
次に、請求項８に記載の発明によれば、上記時間帯毎の使用頻度は、当該時間帯毎に設定作動モードを入力する総時間である請求項１乃至請求項６のいずれかに記載のネットワークシステムを提供するものである。
【００２１】
この請求項８記載の発明により、時間帯毎の使用頻度は、設定作動モードを入力する総時間であるので、使用頻度をリニアにカウントすることができる。
【００２２】
次に、請求項９に記載の発明によれば、ネットワークシステム上の機器の時間帯毎の使用頻度によって、当該時間帯毎に決定された移行時間に対して、移行時間の上限値、若しくは、下限値を入力することが、可能なことを特徴とする請求項１乃至請求項８のいずれかに記載のいずれかネットワークシステムを提供するものである。
【００２３】
この請求項９記載の発明により、予め、使用者等が、移行時間の上限値、若しくは、下限値を入力することよって、使用者の要望をかなえつつそれぞれの移行時間を決定することができる。
【００２４】
次に、請求項１０に記載の発明によれば、上記移行時間決定手段は、ネットワークシステム上の上記その他の機器の使用頻度によって、上記移行時間を決定することを特徴とする請求項１乃至請求項９のいずれかに記載のネットワークシステムを提供するものである。
【００２５】
次に、請求項１１に記載の発明によれば、上記移行時間決定手段は、ネットワークシステム上の予め選択した少なくとも１つ以上の機器の使用頻度によって、上記移行時間を決定することを特徴とする請求項１乃至請求項１０のいずれかに記載のネットワークシステムを提供するものである。
【００２６】
この請求項１１記載の発明により、予め、使用者等が、いずれかの機器を選択することよって、請求項１乃至請求項１０に記載の画像形成装置において、使用者の要望をかなえつつそれぞれの移行時間を決定することができる。
【００２７】
次に、請求項１２に記載の発明によれば、上記移行時間決定手段は、ネットワークシステム上の機器の使用頻度（Ｈ１〜Ｈｎ）と、それぞれの機器によって定められた所定係数（Ｋ１〜Ｋｎ）とで下記の関係式、
使用頻度Ｍｎ＝Ｈ１×Ｋ１＋Ｈ２×Ｋ２＋Ｈ３×Ｋ３＋………＋Ｈｎ×Ｋｎ
を満足する関係で設定されるネットワークシステムの使用頻度Ｍｎによって、上記移行時間を決定する場合のことを特徴とする請求項１乃至請求項１１のいずれかに記載のネットワークシステムを提供するものである。
【００２８】
この請求項１２記載の発明により、予め、使用者等が、それぞれの機器によって定められた所定係数（Ｋ１〜Ｋｎ）を入力するので、それぞれ決定する移行時間を決定するのに、関連性の低い機器には、所定係数（Ｋ１〜Ｋｎ）を高くし、関連性の高い機器には、所定係数（Ｋ１〜Ｋｎ）を低くすることができるので、使用頻度が、正確に算出することできる。さらに、使用者の要望をかなえつつそれぞれの移行時間を決定することができる。
【００２９】
次に、請求項１３に記載の発明によれば、上記移行時間決定手段によって決定された移行時間をネットワークにつながれた対応可能なすべての端末機器に対応させることを特徴とする請求項１乃至請求項１２のいずれかに記載のネットワークシステムを提供するものである。
【００３０】
また、請求項１６に記載の発明によれば、上記移行時間決定手段によって決定された移行時間をネットワークにつながれた対応可能なすべての端末機器に対応させることを特徴とする請求項１５に記載のネットワークシステムの制御プログラムを提供するものである。
【００３１】
これら請求項１３および請求項１６に記載の発明により、決定された移行時間をネットワークにつながれた可能なすべての機器に対応させることによって、使用者に対して、理解しやすいネットワークシステムが提供できる。
【００３２】
次に、請求項１４に記載の発明によれば、上記移行時間決定手段によって決定された移行時間をネットワークにつながれた所定の端末機器に対応させることを特徴とする請求項１乃至請求項１２のいずれかに記載のネットワークシステムを提供するものである。
また、請求項１７に記載の発明によれば、移行時間決定手段によって決定された移行時間をネットワークにつながれた所定の端末機器に対応させることを特徴とする請求項１５に記載のネットワークシステムの制御プログラムを提供するものである。
【００３３】
これら請求項１４および請求項１７に記載の発明により、使用者等が、予め定めた機器に対応させることで、使用者の要望をかなえつつそれぞれの移行時間を決定することができる。
【発明の効果】
【００３４】
本発明により、ユーザーの使用したい時（使用頻度の多い時）に、移行時間を短く設定し、ユーザーのあまり使用しない時（使用頻度の少ない時）に、移行時間を長く設定しているので、使用頻度の多い時は、迅速な操作を行う事ができ、使用頻度の少ない時は、省エネルギーを図ることができる。
【発明を実施するための最良の形態】
【００３５】
以下に、図面を参照して、本発明を詳細に説明する。
以下添付図面を参照して，本発明を具体化した実施例につき説明し，本発明の理解に供する。尚，以下の実施例は，本発明を具体化した一例であって，本発明の技術的範囲を限定するものではない。
【００３６】
ここで、接続とは、有線、無線を問わず、電気公衆回線を含んだ接続のことである。
【００３７】
ここに，図１は、本発明を採用するネットワーク上の画像形成装置のブロック図、図２は、本発明を採用するその画像形成装置の操作パネルの基本画面、図３は、本発明を採用するその画像形成装置の操作パネルの変倍画面、図４は、本発明を採用するその画像形成装置の操作パネルの機能画面、図５は、本発明を採用するその画像形成装置の操作パネルの枠消しモード選択画面である。
【００３８】
本発明を採用する画像形成装置の、操作部を図２〜図５に基づいて説明する。まず図２に示す基本画面について説明する。表示部１はＬＣＤ表示部であり、表示とともにタッチパネルを兼ねている。この画面では倍率、カセットおよびバイパスの選択、両面の設定、写真モード、露光などの設定ができる。基本タブ１１１、変倍タブ１３１、機能タブ１５１はそれぞれのタブにタッチすると、その機能の設定画面に移る。基本ガイダンス表示部１１２はユーザーに情報を知らせる「コピーできます。１（枚ずつ）」などの表示を行う。設定表示部１２０は現在の設定「１００％、自動用紙」などを表示する。その他は設定で選択されたもの以外は図中にあるようにマスクがかけられ現在の設定作動モードがわかりやすくなっている。この画面では倍率：１００％、コピー枚数：１枚、自動用紙選択でＡ４横がセットされた第１カセットが選択され、露光はほぼ真ん中の強さにある。写真モードなどは選択されてない。
【００３９】
図中の右側にはテンキー２、ストップ／クリアキー３、オールクリアキー４、スタートキー５が設けられている。前記テンキー２はコピー枚数などの数値入力に使われ、前記ストップ／クリアキー３は直前の入力を取り消すキーで、前記オールクリアキーは設定された設定作動モードをワンタッチで初期設定作動モードに戻すキーである。前記スタートキー５はコピーの開始キーとしてや、モードの決定などのキーとして使われる。
【００４０】
上記変倍タブ１３１を選択すると図３に示す変倍画面に切り替わる。変倍ガイダンス表示部１３２はユーザーに「倍率を設定して下さい。」などの情報の表示を行う。解除キー１３３を選択すると入力した変倍率を初期の変倍率の１００％にもどしつつ基本画面へ戻る。既定変倍キー１３４はそれぞれ原稿サイズと用紙サイズに基づいてＡ３→Ａ４、Ａ４Ｒ→Ａ５、Ｂ４→Ｂ５の変更は７０％、Ｂ４→Ａ４の変更は８１％、Ｂ４→Ａ３、Ｂ５→Ａ４、Ｂ５→Ａ４の変更は１１５％、Ａ４→Ａ３、Ａ５→Ａ４、Ｂ５→Ｂ４の変更は１４１％の既定の変倍を行うキーである。５０％キー１３５および２００％キー１３６はそれぞれタッチすると５０％、２００％の変倍設定になる。変倍設定表示部１３７は現在の変倍率を表示している。拡大キー１３８および縮小キー１３９はそれぞれタッチするか押し続けると倍率１％刻みで倍率を変えることができる。設定キー１４０を選択すると入力した変倍率を保持したまま基本画面へ戻る。
【００４１】
つぎに上記機能タブ１５１を選択すると図４に示す機能選択画面に切り替わる。機能ガイダンス表示部１５２はユーザーに「機能を選択して下さい。」などの情報の表示を行う。その下に機能を選択するキーである両面キー１５３、分割キー１５４、マージンキー１５５、ＯＨＰ合紙キー１５６、シートキー１５７、枠消しキー１５８などが並べられている。前記両面キー１５３を選択すると両面コピーモードになり、前記分割キー１５４を選択すると、例えばＡ３原稿をＡ４用紙２枚に分割してコピーする。前記マージンキー１５５を選択するとそのさらに詳しい画面（図示していない）に切り替わりマージンの設定が可能となる。前記ＯＨＰ合紙キーを選択すると、ＯＨＰシートを手差し給紙部から給紙してコピーしつつその他のカセットから用紙を給紙して合紙とする。前記シートキーを選択するとそのさらに詳しい画面（図示していない）に切り替わりオモテ表紙、ウラ表紙、仕切用紙などの設定が可能となる。
【００４２】
前記枠消しキー１５８を選択すると図５に示すようなさらに詳細な枠消しモード選択画面１５９に切り替わる。枠消しモードガイダンス表示部１５９１に「枠消しコピーモードです。」や、「原稿の種類を選択して下さい。」などの表示を行う。もどるキー１５９２を選択すると前記機能選択画面１５にもどる。枠消し幅選択キー１５９３は選択した幅の枠消しを行う。シート枠消しキー１５９４を選択すると用紙周辺の枠消しを行い。ブック枠消し１５９５を選択すると用紙の周辺および原稿長手方向の中央付近の枠消しを行う。任意設定枠消しキー１５９６を選択するとその詳しい画面（図示していない）に切り替わり数値入力した細かい枠消しも可能となる。
【００４３】
その他タブ１６１を選択すると、パスワード入力画面や、部門管理画面、料金などの画面（図示していない）に切り替わる。
【００４４】
このように設定作動モードは、倍率やコピー枚数および露光などを少しいじ
るだけで設定できる簡単なものから、マージンやシートモード、および枠消しモードなどの画面を次々と切り換えて数値入力や細かい設定を行う非常に複雑な設定作動モードなどいろいろある。本発明はこれらの設定作動モード毎にユーザーが適切なオートクリアタイムを設定できる。
【００４５】
本件発明を採用する画像形成装置のブロック図を図１に示す。表示部１およびキー入力手段（２〜５）は上述したＬＣＤ表示部とテンキーやスタートキーなどのキー入力である。制御部６は、設定作動モード別オートクリアタイム設定手段６１、オートクリアタイム決定手段６２、タイマー６３、復帰手段６４などから構成されるか、もしくは各々が同等の作用をするものから構成されている。ＲＯＭ７には初期設定作動モードデータや設定作動モード別オートクリアタイムの関係を予め決めたテーブルデータやその他プログラムなどが格納されている。ＲＡＭ８には現状の設定作動モードのデータや画像形成装置の設定データなどが格納されている。
【００４６】
本発明の特徴部分であるオートクリアタイム等設定手段６１について図６に基づいて説明する。同図は設定作動モード別のオートクリアタイムを設定する画面である。本実施例では基本画面のタブを選択してこの画面に入っているが、専用のハードスイッチを設けても良い。この画面のオートクリアタイム設定画面ガイダンス表示部１６２に「各機能が選択されたときの自動復帰するまでの時間を設定して下さい。」などの表示を行う。オートクリアタイム設定画面表示部１６３は現在がどの画面であるかを表示している。設定作動モード別オートクリアタイム設定キー１６３は選択した作動モードを操作したあとの初期作動モードへの復帰時間を変えることができる。
【００４７】
各キーの左側が設定動作モードで倍率や複写枚数などの簡単なものから、枠消しモードやＯＨＰ合紙モードなどの複雑なものがあり、右側には設定作動モード別オートクリアタイムが表示されている。ユーザーはこの画面で前記設定作動モード別オートクリアタイム設定キー１６３のどれかを選択して、ＵＰキー１６７を押せば順次時間が上昇し、ＤＯＷＮキー１６８を押せば順次時間が下降する。前の機能キー１６５や次の機能キー１６６はこれらを押すことによりその他のユーザー設定を行う画面に切り替わる。これらの設定された設定作動モード別オートクリアタイムは前記ＲＡＭ８内に記憶保持される。
【００４８】
第１実施の形態（請求項１、１５）は、ネットワーク上の機器の最後の入力動作が終了後、所定の時間が経過すると画像形成装置の設定作動モードを所定の設定モードに移行させる機能を、ネットワーク上の機器の使用頻度によって、決定する移行時間決定手段とを有することを特徴とするネットワークシステムを説明するものである。
【００４９】
例えば、ネットワークシステムに、パソコンＱ１とパソコンＱ２と所定の時間が経過すると画像形成装置の設定作動モードを所定の設定モードに移行させる機能を有したプリンタＱ３とが接続していた場合に、ネットワークシステムのＱ１、Ｑ２、Ｑ３の全体の使用頻度をカウントして、移行時間決定を決定することである。
【００５０】
更に、第１実施の形態においては、最後の入力動作が終了後、所定の時間が経過すると画像形成装置の設定作動モードを所定の設定モードに移行させる機能を、時間帯毎の使用頻度によって、移行時間決定手段が当該時間帯毎の移行時間を決定するものである。その処理手順を，図７のフローチャートを用いて説明する。図中Ｓ１０１，Ｓ１０２……は，処理手順（ステップ）の番号を示す。Ｓ１０１で、現在の時間帯から、Ａ１〜Ａ６のうち１つを選択する。Ｓ１０２に進み、選択された時間帯におけるネットワークシステムの使用回数をカウントする。
【００５１】
ここで、例えば、時間帯Ａ１からＡ６迄は、Ａ１：０〜４時、Ａ２：４〜８時、Ａ３：８〜１２時、Ａ４：１２〜１６時、Ａ５：１６〜２０時、Ａ６：２０〜２４時とする。
【００５２】
さらに、Ｓ１０３で、ネットワークシステムの使用回数が、例えば、２０回以下か、２０回以上かを判断する。ここで、ネットワークシステムの使用回数が、２０回以下なら、移行時間が、４５（Ｓ）にセットされ（Ｓ１０４）、終了する。２０回以上なら、Ｓ１０５に進み、２１〜４０回か否か、判断される。ここで、ネットワークシステムの使用回数が、２１〜４０回なら、移行時間が、前述の４５（Ｓ）より長い６０（Ｓ）にセットされ（Ｓ１０６）、終了する。４０回以上なら、Ｓ１０７に進み、４１〜６０回か否か、判断される。ここで、ネットワークシステムの使用回数が、４１〜６０回なら、移行時間が、１２０（Ｓ）にセットされ（Ｓ１０７）、終了する。６０回以上なら、Ｓ１０９に進み、６０回以上か否か、判断される。ここで、ネットワークシステムの使用回数が、６０回以上なら、移行時間が、１８０（Ｓ）にセットされ（Ｓ１１０）、終了する。どこにも、該当しなければ、Ｓ１０３に戻り、判定を繰り返す。
【００５３】
第２実施の形態（請求項４）は、最後の入力動作が終了後、所定の時間が経過すると画像形成装置の設定作動モードを所定の設定モードに移行させるオートクリア機能を、時間帯毎の使用頻度によって、当該時間帯毎の移行時間を決定する移行時間決定手段とを有する画像形成装置を含むネットワークシステムを説明する。本実施形態においては、復帰する所定の設定モードが、初期設定動作画面であり、例えば、変倍画面（図３）、機能画面（図４）、その他（図面３，４）等から、基本画面（図２）に決定された移行時間によって、移行する状態をいう。つまり、決定された移行時間によって、初期設定動作画面（例えば、基本画面（図２））に移行することによって、ハンドリングの良い画像形成装置を含むネットワークシステムを提供することができる。その処理手順を、図８のフローチャートを用いて説明する。図中Ｓ２０１，Ｓ２０２……は，処理手順（ステップ）の番号を示す。
【００５４】
Ｓ２０１で、現在の時間帯から、Ａ１〜Ａ６のうち１つを選択する。Ｓ２０２に進み、選択された時間帯における使用回数をカウントする。ここで、例えば、時間帯Ａ１からＡ６迄は、Ａ１：０〜４時、Ａ２：４〜８時、Ａ３：８〜１２時、Ａ４：１２〜１６時、Ａ５：１６〜２０時、Ａ６：２０〜２４時とする。さらに、例えば、テーブルデータを図８に示す。
【００５５】
さらに、Ｓ２０３で、使用回数が、例えば、２０回以下か、２０回以上かを判断する。ここで、使用回数が、２０回以下なら、移行時間が、４５（Ｓ）にセットされ（Ｓ２０４）、終了する。
【００５６】
２０回以上なら、Ｓ２０５に進み、２１〜４０回か否か、判断される。ここで、使用回数が、２１〜４０回なら、移行時間が、前述の４５（Ｓ）より長い６０（Ｓ）にセットされ（Ｓ２０６）、終了する。４０回以上なら、Ｓ２０７に進み、４１〜６０回か否か、判断される。ここで、使用回数が、４１〜６０回なら、移行時間が、１２０（Ｓ）にセットされ（Ｓ２０７）、終了する。６０回以上なら、Ｓ２０９に進み、６０回以上か否か、判断される。ここで、使用回数が、６０回以上なら、移行時間が、１８０（Ｓ）にセットされ（Ｓ２１０）、終了する。
【００５７】
どこにも、該当しなければ、Ｓ２０３に戻り、判定を繰り返す。
【００５８】
第３実施の形態（請求項４）は、最後の入力動作が終了後、所定の時間が経過すると画像形成装置の設定作動モードを所定の設定モードに移行させるオートシャットオフ機能を、時間帯毎の使用頻度によって、当該時間帯毎の移行時間を決定する移行時間決定手段とを有する画像形成装置を含むネットワークシステムを説明するものであり、その処理手順を，図９のフローチャートを用いて説明する。図中Ｓ３０１，Ｓ３０２……は，処理手順（ステップ）の番号を示す。
【００５９】
ここで、例えば、時間帯Ａ１からＡ６迄は、Ａ１：０〜４時、Ａ２：４〜８時、Ａ３：８〜１２時、Ａ４：１２〜１６時、Ａ５：１６〜２０時、Ａ６：２０〜２４時とする。さらに、例えば、テーブルデータを図９に示す。
【００６０】
Ｓ３０１で、現在の時間帯から、Ａ１〜Ａ６のうち１つを選択する。Ｓ３０２に進み、選択された時間帯における使用回数をカウントする。
【００６１】
さらに、Ｓ３０３で、使用回数が、例えば、２０回以下か、２０回以上かを判断する。ここで、使用回数が、２０回以下なら、移行時間が、４５（Ｓ）にセットされ（Ｓ３０４）、終了する。
【００６２】
２０回以上なら、Ｓ３０５に進み、２１〜４０回か否か、判断される。ここで、使用回数が、２１〜４０回なら、移行時間が、前述の４５（Ｓ）より長い６０（Ｓ）にセットされ（Ｓ３０６）、終了する。
【００６３】
４０回以上なら、Ｓ２０７に進み、４１〜６０回か否か、判断される。ここで、使用回数が、４１〜６０回なら、移行時間が、１２０（Ｓ）にセットされ（Ｓ３０７）、終了する。
【００６４】
６０回以上なら、Ｓ３０９に進み、６０回以上か否か、判断される。ここで、
使用回数が、６０回以上なら、移行時間が、１８０（Ｓ）にセットされ（Ｓ３１０）、終了する。
【００６５】
どこにも、該当しなければ、Ｓ３０３に戻り、判定を繰り返す。
【００６６】
第４実施の形態（請求項４）は、最後の入力動作が終了後、所定の時間が経過すると画像形成装置の設定作動モードを所定の設定モードに移行させるオートプレヒート機能を、時間帯毎の使用頻度によって、当該時間帯毎の移行時間を決定する移行時間決定手段とを有することを特徴とする画像形成装置を説明するものであり、その処理手順を，図１０のフローチャートを用いて説明する。図中Ｓ４０１，Ｓ４０２……は，処理手順（ステップ）の番号を示す。
【００６７】
ここで、例えば、時間帯Ａ１からＡ６迄は、Ａ１：０〜４時、Ａ２：４〜８時、Ａ３：８〜１２時、Ａ４：１２〜１６時、Ａ５：１６〜２０時、Ａ６：２０〜２４時とする。さらに、例えば、テーブルデータを図１０に示す。
【００６８】
Ｓ４０１で、現在の時間帯から、Ａ１〜Ａ６のうち１つを選択する。Ｓ４０２に進み、選択された時間帯における使用回数をカウントする。
【００６９】
さらに、Ｓ４０３で、使用回数が、例えば、２０回以下か、２０回以上かを判断する。ここで、使用回数が、２０回以下なら、移行時間が、４５（Ｓ）にセットされ（Ｓ４０４）、終了する。
【００７０】
２０回以上なら、Ｓ４０５に進み、２１〜４０回か否か、判断される。ここで、使用回数が、２１〜４０回なら、移行時間が、前述の４５（Ｓ）より長い６０（Ｓ）にセットされ（Ｓ４０６）、終了する。
【００７１】
４０回以上なら、Ｓ４０７に進み、４１〜６０回か否か、判断される。ここで、使用回数が、４１〜６０回なら、移行時間が、１２０（Ｓ）にセットされ（Ｓ４０７）、終了する。
【００７２】
６０回以上なら、Ｓ４０９に進み、６０回以上か否か、判断される。ここで、
使用回数が、６０回以上なら、移行時間が、１８０（Ｓ）にセットされ（Ｓ４１０）、終了する。
【００７３】
どこにも、該当しなければ、Ｓ４０３に戻り、判定を繰り返す。
【００７４】
第５実施の形態（請求項４）は、最後の入力動作が終了後、所定の時間が経過すると画像形成装置の設定作動モードを所定の設定モードに移行させるスクリーンセーブ機能を、時間帯毎の使用頻度によって、時間帯毎の移行時間を決定する移行時間決定手段とを有する画像形成装置を含むネットワークシステムを説明するものであり、その処理手順を，図１１のフローチャートを用いて説明する。図中Ｓ５０１，Ｓ５０２……は，処理手順（ステップ）の番号を示す。
【００７５】
ここで、例えば、時間帯Ａ１からＡ６迄は、Ａ１：０〜４時、Ａ２：４〜８時、Ａ３：８〜１２時、Ａ４：１２〜１６時、Ａ５：１６〜２０時、Ａ６：２０〜２４時とする。さらに、例えば、テーブルデータを図１１に示す。
【００７６】
Ｓ２０１で、現在の時間帯から、Ａ１〜Ａ６のうち１つを選択する。Ｓ５０２に進み、選択された時間帯における使用回数をカウントする。
【００７７】
さらに、Ｓ５０３で、使用回数が、例えば、２０回以下か、２０回以上かを判断する。ここで、使用回数が、２０回以下なら、移行時間が、４５（Ｓ）にセットされ（Ｓ５０４）、終了する。
【００７８】
２０回以上なら、Ｓ５０５に進み、２１〜４０回か否か、判断される。ここで、使用回数が、２１〜４０回なら、移行時間が、前述の４５（Ｓ）より長い６０（Ｓ）にセットされ（Ｓ５０６）、終了する。
【００７９】
４０回以上なら、Ｓ５０７に進み、４１〜６０回か否か、判断される。ここで、使用回数が、４１〜６０回なら、移行時間が、１２０（Ｓ）にセットされ（Ｓ５０７）、終了する。
【００８０】
６０回以上なら、Ｓ５０９に進み、６０回以上か否か、判断される。ここで、
使用回数が、６０回以上なら、移行時間が、１８０（Ｓ）にセットされ（Ｓ５１０）、終了する。
【００８１】
どこにも、該当しなければ、Ｓ５０３に戻り、判定を繰り返す。
【００８２】
第６実施の形態（請求項７）は、時間帯毎の使用頻度は、設定作動モードを入力する回数であるネットワークシステムを説明するものであり、その説明を行う。ここで、使用頻度を図るパラメータとして、設定作動モードを入力する回数によって、移行時間を決定する。
【００８３】
第７実施の形態（請求項８）は、時間帯毎の使用頻度は、設定作動モードを入力する総時間であるネットワークシステムを説明するものであり、その説明を行う。ここで、使用頻度を図るパラメータとして、設定作動モードを入力する総時間によって、移行時間を決定する。
【００８４】
第８実施の形態（請求項５）は、時間帯毎の使用頻度によって、当該時間帯毎の決定された移行時間を、少なくとも２つ以上有し、且つ、それぞれ下記の関係式
Ｂ＞Ｃ＞Ａ＞Ｄ
Ａ：オートクリア時間
Ｂ：オートシャットオフ時間
Ｃ：オートプレヒート時間
Ｄ：スクリーンセーブ時間
を満足するものとした場合のネットワークシステムを説明するものであり、表１を用いて説明する。
【００８５】
つまり、テーブルデータを表１のように、使用回数０〜２０回の場合は、  Ｂ（１００（Ｓ））＞Ｃ（６０（Ｓ））＞Ａ（４５（Ｓ））＞Ｄ（３０（Ｓ））にし、使用回数２１〜４０回の場合は、  Ｂ（１２０（Ｓ））＞Ｃ（１００（Ｓ））＞Ａ（６０（Ｓ））＞Ｄ（４５（Ｓ））にし、使用回数４１〜６０回の場合は、  Ｂ（１８０（Ｓ））＞Ｃ（１６０（Ｓ））＞Ａ（１２０（Ｓ））＞Ｄ（１００（Ｓ））にし、使用回数０〜２０回の場合は、  Ｂ（２４０（Ｓ））＞Ｃ（２１０（Ｓ））＞Ａ（１８０（Ｓ））＞Ｄ（１２０（Ｓ））に予め設定する。
【００８６】
【表１】
2005151587.tif 000003
このような設定を行なっているので、重みづけられたオートシャ−トオフ移行時間の場合は、移行時間が、長い時間にセットされ、
逆に、重みづけの軽いオートクリア移行時間の場合は、移行時間が、短い時間にセットされる。
【００８７】
従って、効率良く、ユーザーにも使いやすいネットワークシステムになる。
【００８８】
第９実施の形態（請求項６）は、時間帯毎の使用頻度によって、時間帯毎の決定された移行時間を、少なくとも２つ以上有し、且つ、それぞれ下記の関係式
Ｂ＞Ｃ＞Ｄ＞Ａ
Ａ：オートクリア時間
Ｂ：オートシャットオフ時間
Ｃ：オートプレヒート時間
Ｄ：スクリーンセーブ時間
を満足するものとした場合のネットワークシステムを説明するものであり、表２を用いて説明する。
【００８９】
表２のように、使用回数０〜２０回の場合は、  Ｂ（１００（Ｓ））＞Ｃ（
６０（Ｓ））＞Ｄ（４５（Ｓ））＞Ａ（３０（Ｓ））にし、、使用回数２１〜４０回の場合は、  Ｂ（１２０（Ｓ））＞Ｃ（１００（Ｓ））＞Ｄ（６０（Ｓ））＞Ａ（４５（Ｓ））にし、使用回数４１〜６０回の場合は、  Ｂ（１８０（Ｓ））＞Ｃ（１６０（Ｓ））＞Ｄ（１２０（Ｓ））＞Ａ（１００（Ｓ））にし、使用回数０〜２０回の場合は、  Ｂ（１００（Ｓ））＞Ｃ（２１０（Ｓ））＞Ｄ（１８０（Ｓ））＞Ａ（１２０（Ｓ））に予め設定する。
【００９０】
【表２】
2005151587.tif 000004
このような設定を行なっているので、重みづけられたオートシャ−トオフ移行時間の場合は、移行時間が、長い時間にセットされ、
逆に、重みづけの軽いスクリーンセーブ移行時間の場合は、移行時間が、短い時間にセットされる。
【００９１】
従って、効率良く、ユーザーにも使いやすいネットワークシステムになる。
【００９２】
第１０実施の形態（請求項９）は、時間帯毎の決定された移行時間に対して、移行時間の上限値、若しくは、下限値を入力することが、可能なことを特徴とするネットワークシステムを説明するものであり、表３、４を用いて説明する。
【００９３】
例えば、上限値を１８０（Ｓ）と使用者が、予め設定するとテーブルデータの中の１８０（Ｓ）を超える値は、すべて１８０（Ｓ）に変更されて、表３のようなテーブルデータに書き換えられる。
【００９４】
又、上限値を１００（Ｓ）と使用者が、予め設定するとテーブルデータの中の１００（Ｓ）を下回る値は、すべて１００（Ｓ）に変更されて、表４のようなテーブルデータに書き換えられる。
そして変更された新しい表３、若しくは、表４によって、移行時間が決定される。
【００９５】
【表３】
2005151587.tif 000005
【００９６】
【表４】
2005151587.tif 000006
第１１実施の形態（請求項１０、１１）は、ネットワークシステム上の予め選択した少なくとも１つ以上の機器の時間帯毎の使用頻度によって、端末機器の当該時間帯毎の移行時間を決定する移行時間決定手段とを有するネットワークシステムを説明するものである。
【００９７】
例えば、ネットワークシステムに、パソコンＱ１とパソコンＱ２とパソコンＱ３とパソコンＱ４と所定の時間が経過すると画像形成装置の設定作動モードを所定の設定モードに移行させる機能を有したプリンタＱ５とが接続していた場合に、予め選択した少なくとも１つ以上の機器が、パソコンＱ１とパソコンＱ２としたら、Ｑ１とＱ２の時間帯毎の使用頻度によって、端末機器プリンタＱ５の当該時間帯毎の移行時間を決定する移行時間決定を決定することである。
【００９８】
第１２実施の形態（請求項１２）は、いずれかの機器の時間帯毎の使用頻度（Ｈ１〜Ｈｎ）と、それぞれの機器によって定められた所定係数（Ｋ１〜Ｋｎ）とで下記の関係式、使用頻度Ｍｎ＝Ｈ１×Ｋ１＋Ｈ２×Ｋ２＋Ｈ３×Ｋ３＋………＋Ｈｎ×Ｋｎによって、端末機器の当該時間帯毎の移行時間を決定する移行時間決定手段とを有するネットワークシステムを説明するものである。
【００９９】
第１３実施の形態（請求項２）は、ネットワーク上の機器の時間帯毎の使用頻度が、所定頻度を超えると当該時間帯をさらに細分化し、この細分化された時間帯の移行時間を決定する移行時間決定手段を有するネットワークシステムを説明するものであり、その処理手順を，図１２のフローチャートを用いて説明する。図中Ｓ６０１，Ｓ６０２……は，処理手順（ステップ）の番号を示す。Ｓ６０１で、現在の時間帯から、Ａ１〜Ａ６のうち１つを選択する。Ｓ６０２に進み、選択された時間帯におけるネットワークシステムの使用回数をカウントする。
【０１００】
ここで、例えば、時間帯Ａ１からＡ６迄は、Ａ１：０〜４時、Ａ２：４〜８時、Ａ３：８〜１２時、Ａ４：１２〜１６時、Ａ５：１６〜２０時、Ａ６：２０〜２４時とする。
【０１０１】
さらに、Ｓ６０３で、ネットワークシステムの使用回数が、２０回以下か、２０回以上かを判断する。ここで、ネットワークシステムの使用回数が、２０回以下なら、移行時間が、１８０（Ｓ）にセットされ（Ｓ６０４）、終了する。２０回以上なら、Ｓ６０５に進み、２１〜４０回か否か、判断される。ここで、ネットワークシステムの使用回数が、２１〜４０回なら、移行時間が、１２０（Ｓ）にセットされ（Ｓ６０６）、終了する。
【０１０２】
４０回以上なら、Ｓ６０７に進み、４１〜６０回か否か、判断される。ここで、ネットワークシステムの使用回数が、４１〜６０回なら、移行時間が、６０（Ｓ）にセットされ（Ｓ６０７）、終了する。
【０１０３】
６０回以上なら、Ｓ６０９に進み、６０回以上か否か、判断される。ここで、ネットワークシステムの使用回数が、６０回以上なら、移行時間が、４５（Ｓ）にセットされる（Ｓ６１０）。
【０１０４】
さらに、時間帯の分割を行なう（Ｓ６１１）。つまり、例えば、時間帯が、Ａ６（２０〜２４時）であれば、Ａ６を２０〜２２時し、Ａ７を２２〜２４時する。
【０１０５】
どこにも、該当しなければ、Ｓ６０３に戻り、判定を繰り返す。
【０１０６】
第１４実施の形態（請求項３）は、ネットワーク上の機器の時間帯毎の使用頻度が、所定頻度を下回ると時間帯をさらに延ばした時間帯によって、端末機器の時間帯毎の移行時間を決定する移行時間決定手段を有するネットワークシステムを説明するものであり、その処理手順を，図１３のフローチャートを用いて説明する。図中Ｓ７０１，Ｓ７０２……は，処理手順（ステップ）の番号を示す。
【０１０７】
Ｓ７０１で、現在の時間帯から、Ａ１〜Ａ６のうち１つを選択する。Ｓ７０２に進み、選択された時間帯におけるネットワークシステムの使用回数をカウントする。
【０１０８】
ここで、例えば、時間帯Ａ１からＡ６迄は、Ａ１：０〜４時、Ａ２：４〜８時、Ａ３：８〜１２時、Ａ４：１２〜１６時、Ａ５：１６〜２０時、Ａ６：２０〜２４時とする。
【０１０９】
さらに、Ｓ７０３で、ネットワークシステムの使用回数が、２０回以下か、２０回以上かを判断する。ここで、ネットワークシステムの使用回数が、２０回以下なら、移行時間が、１８０（Ｓ）にセットされる（Ｓ７０４）。
【０１１０】
さらに、時間帯の合体を行なう（Ｓ７１１）。つまり、例えば、使用頻度が、少ないと、時間帯が、Ａ５（１６〜２０時）、Ａ６（２０〜２４時）であれば、Ａ５を１６〜２４時にする。
そして、２０回以上なら、Ｓ７０５に進み、２１〜４０回か否か、判断される。ここで、ネットワークシステムの使用回数が、２１〜４０回なら、移行時間が、１２０（Ｓ）にセットされ（Ｓ７０６）、終了する。
【０１１１】
４０回以上なら、Ｓ７０７に進み、４１〜６０回か否か、判断される。ここで、ネットワークシステムの使用回数が、４１〜６０回なら、移行時間が、６０（Ｓ）にセットされ（Ｓ７０７）、終了する。
【０１１２】
６０回以上なら、Ｓ７０９に進み、６０回以上か否か、判断される。ここで、ネットワークシステムの使用回数が、６０回以上なら、移行時間が、４５（Ｓ）にセットされる（Ｓ７１０）。
【０１１３】
さらに、時間帯の分割を行なう（Ｓ７１１）。つまり、例えば、時間帯が、Ａ６（２０〜２４時）であれば、Ａ６を２０〜２２時し、Ａ７を２２〜２４時する。
【０１１４】
どこにも、該当しなければ、Ｓ７０３に戻り、判定を繰り返す。
【０１１５】
第１５実施の形態（請求項１３、１６）は、決定された移行時間をネットワークにつながれた対応可能なすべての端末機器に対応させる場合のネットワークシステムを説明するものである。
【０１１６】
第１６実施の形態（請求項１４、１７）は、決定された移行時間をネットワークにつながれた所定の端末機器に対応させる場合のネットワークシステムを説明するものである。
【図面の簡単な説明】
【０１１７】
【図１】本発明を採用するネットワーク上の画像形成装置のブロック図。
【図２】本発明を採用するその画像形成装置の操作パネルの基本画面。
【図３】本発明を採用するその画像形成装置の操作パネルの変倍画面。
【図４】本発明を採用するその画像形成装置の操作パネルの機能画面。
【図５】本発明を採用するその画像形成装置の操作パネルの枠消しモード選択画面。
【図６】本発明のオートクリアタイム設定手段の説明画面。
【図７】本発明を説明するフローチャート（請求項４）
【図８】本発明を説明するフローチャート（請求項５）
【図９】本発明を説明するフローチャート（請求項１）
【図１０】本発明を説明するフローチャート（請求項７）
【図１１】本発明を説明するフローチャート（請求項８）
【図１２】本発明を説明するフローチャート（請求項２）
【図１３】本発明を説明するフローチャート（請求項３）
【符号の説明】
【０１１８】
１；表示部（ＬＤＣ）
２〜５；キー入力手段
６；制御部
６１；オートクリアタイム設定手段
６２；オートクリアタイム決定手段
６３；タイマ
６４；復帰手段
７；ＲＯＭ
８；ＲＡＭ
【図１】
2005151587.tif 000007
【図２】
2005151587.tif 000008
【図３】
2005151587.tif 000009
【図４】
2005151587.tif 000010
【図５】
2005151587.tif 000011
【図６】
2005151587.tif 000012
【図７】
2005151587.tif 000013
【図８】
2005151587.tif 000014
【図９】
2005151587.tif 000015
【図１０】
2005151587.tif 000016
【図１１】
2005151587.tif 000017
【図１２】
2005151587.tif 000018
【図１３】
2005151587.tif 000019